(57)【要約】      （修正有）【課題】ディスプレイ装置の配置変更等に柔軟に対応可能で、かつ複数ユーザの利用受入れを可能とする。【解決手段】第１ディスプレイ装置において、ユーザ端末からのアクセスを受け付けて、第１コンテンツを記憶部より抽出して表示し、当該第１ディスプレイ装置に紐付けられる第２ディスプレイ装置とその利用状況とを記述したテーブルを用い確保可能な第２ディスプレイ装置を特定し、ユーザ端末から第２コンテンツの表示要求を受信すると共に第２コンテンツの表示指示を第２ディスプレイ装置に通知し、第２ディスプレイ装置において、表示機能資源の確保依頼を第１ディスプレイ装置より受けて表示機能資源の確保を実行し、第１ディスプレイ装置より受けた当該表示指示に応じたコンテンツ取得要求をサーバに通知し、コンテンツ取得要求に応じた第２コンテンツをサーバより取得すると共に表示機能資源を用いて当該第２コンテンツを表示する。【選択図】図３
2005141147.tif 000002
【特許請求の範囲】
【請求項１】
演算部および記憶部と通信インターフェイスたるＩ／Ｏ部とを備えてデータ通信可能な第１および第２のディスプレイ装置と、当該第１および第２のディスプレイ装置とデータ通信可能なサーバとを用いた、ディスプレイ装置の連携方法であって、
第１ディスプレイ装置において、
ユーザ端末からのアクセスを受け付けて、ユーザ認証情報を取得し、
前記ユーザ認証情報を前記サーバに送信してユーザ認証依頼を実行し、このユーザ認証依頼に応じた認証結果をサーバより受信し、
前記認証結果に応じて、予め設定された第１コンテンツを記憶部より抽出して表示し、
当該第１ディスプレイ装置に紐付けられる第２ディスプレイ装置と当該第２ディスプレイ装置の利用状況とを記述したテーブルを用い、前記ユーザ端末向けに確保可能な第２ディスプレイ装置を特定して、該当第２ディスプレイ装置に前記ユーザ端末向けの表示機能資源の確保依頼を実行し、
ユーザ端末から第２コンテンツの表示要求を受信すると共に、この第２コンテンツの表示指示を第２ディスプレイ装置に通知し、
第２ディスプレイ装置において、
前記表示機能資源の確保依頼を第１ディスプレイ装置より受けて、表示機能資源の確保を実行し、
前記第２コンテンツの表示指示を第１ディスプレイ装置より受けて、当該表示指示に応じたコンテンツ取得要求をサーバに通知し、
前記コンテンツ取得要求に応じた第２コンテンツをサーバより取得すると共に、前記表示機能資源を用いて当該第２コンテンツを表示する、
ことを特徴とするディスプレイ装置連携方法。
【請求項２】
請求項１において、
第１または第２ディスプレイ装置が、前記テーブルに記述された他のディスプレイ装置に、第１または第２ディスプレイ装置における前記ユーザ端末の利用状況を通知することを特徴とするディスプレイ装置連携方法。
【請求項３】
請求項１において、
第２ディスプレイ装置における前記表示機能資源が、ディスプレイ画面を区画した複数の分割画面または当該分割画面の制御装置により構成され、
前記テーブルが、第２ディスプレイ装置の利用状況として各表示機能資源の利用状況を記述したテーブルであり、
前記第１ディスプレイ装置において、前記ユーザ端末向けに確保可能な第２ディスプレイ装置を特定するに際し、前記テーブルにおける分割画面の利用状況を認識し、未利用の分割画面をユーザ端末向けに特定し、
前記未利用の分割画面を有する該当第２ディスプレイ装置に、前記ユーザ端末向けの表示機能資源たる分割画面または当該分割画面の制御装置の確保依頼を実行することを特徴とするディスプレイ装置連携方法。
【請求項４】
請求項１において、
前記第１ディスプレイ装置が、前記第１コンテンツに含まれるユーザ端末毎のアイコンデータを、記憶部より抽出して表示し、
前記アイコンデータの表示指示を第２ディスプレイ装置に通知し、
第２ディスプレイ装置において、
前記アイコンデータの表示指示を第１ディスプレイ装置より受けて、前記表示機能資源を用いて当該アイコンデータを表示することを特徴とするディスプレイ装置連携方法。
【請求項５】
請求項１において、
前記第１および第２ディスプレイ装置とサーバとにおける前記Ｉ／Ｏ部が、無線ネットワークにおけるデータ通信を実行することを特徴とするディスプレイ装置連携方法。
【請求項６】
請求項１において、
前記第１ディスプレイ装置が無線ＩＣタグのリーダを備えて、
前記ユーザ端末または所定の媒体に格納された無線ＩＣタグの接近に応じて、前記リーダによる無線ＩＣタグの格納情報の読取りを実行し、
前記格納情報から前記ユーザ認証情報を取得することを特徴とするディスプレイ装置連携方法。
【請求項７】
請求項１において、
前記第１または第２ディスプレイ装置が、ユーザ端末からの利用の履歴情報をサーバに通知し、
サーバが前記利用の履歴情報を受け付けて、これをログテーブルに格納し、
前記第１ディスプレイ装置が、
ユーザ端末からのアクセスに応じて、前記ログテーブルにおける該当ユーザ端末の利用の履歴情報を抽出し、
前記利用の履歴情報に基づき、利用済みの第１または第２ディスプレイ装置を特定し、
所定空間における第１または第２ディスプレイ装置の配置区域情報を含む前記第１コンテンツにおいて、前記特定した利用済みの第１または第２ディスプレイ装置に関する配置区域情報にマーキングをすることを特徴とするディスプレイ装置連携方法。
【請求項８】
演算部および記憶部と通信インターフェイスたるＩ／Ｏ部とを備えて、他のディスプレイ装置またはサーバとデータ通信可能なディスプレイ装置であり、
ユーザ端末からのアクセスを受け付けて、ユーザ認証情報を取得するアクセス受付部と、
前記ユーザ認証情報をサーバに送信してユーザ認証依頼を実行し、このユーザ認証依頼に応じた認証結果をサーバより受信する認証依頼実行部と、
前記認証結果に応じて、予め設定された第１コンテンツを記憶部より抽出して表示する第１コンテンツ表示部と、
当該ディスプレイ装置に紐付けられる他のディスプレイ装置と当該他のディスプレイ装置の利用状況とを記述したテーブルと、
前記テーブルを用い、前記ユーザ端末向けに確保可能な他のディスプレイ装置を特定して、該当する他のディスプレイ装置に前記ユーザ端末向けの表示機能資源の確保依頼を実行するディスプレイ特定部と、
ユーザ端末から第２コンテンツの表示要求を受信すると共に、この第２コンテンツの表示指示を前記他のディスプレイ装置に通知する第２コンテンツ通知部と、
を備えることを特徴とするディスプレイ装置。
【請求項９】
演算部および記憶部と通信インターフェイスたるＩ／Ｏ部とを備えて、他のディスプレイ装置またはサーバとデータ通信可能なディスプレイ装置であり、
ユーザ端末向けの表示機能資源の確保依頼を他のディスプレイ装置より受けて、表示機能資源の確保を実行する資源確保部と、
コンテンツの表示指示を他のディスプレイ装置より受けて、当該表示指示に応じたコンテンツ取得要求をサーバに通知する取得要求通知部と、
前記コンテンツ取得要求に応じたコンテンツをサーバより取得すると共に、前記表示機能資源を用いて当該コンテンツを表示するコンテンツ表示部と、
を備えることを特徴とするディスプレイ装置。
【発明の詳細な説明】
【技術分野】
【０００１】
本発明は、ディスプレイ装置連携方法およびディスプレイ装置に関する。
【背景技術】
【０００２】
例えば、各展示会場に設置される表示部と、各見学者が所持する携帯端末装置との間で情報を無線情報通信手段により伝送し、各見学者の要求に応じて個人化された情報を前記表示部に表示して提供するための個人化情報提示方法であって、各見学者が個人情報を前記携帯端末装置に登録する第１のステップ、各見学者がある展示会場の表示部に対して当該携帯端末装置により個人情報を無線情報通信手段により伝送する第２のステップ、および当該表示部が前記伝送されてきた個人情報に基づいて展示ガイド情報を個人化して表示するとともに、その見学者の見学履歴情報を更新し、その更新された見学履歴やその見学者の興味に基づいて、その見学者向けに次に何を見学すべきかを示す情報を当該携帯端末装置に表示させる第３のステップを含むことを特徴とする、個人化情報提示方法（特許文献１参照）などが提案されている。
【特許文献１】特開２０００−１７２２３８号公報
【発明の開示】
【発明が解決しようとする課題】
【０００３】
従来、複数のディスプレイ装置を使用するシステムでは、ディスプレイ装置の導入（或いは運営）コストに比べて制御装置（例：ＣＰＵを含むコンピュータ）のコストが高くなる傾向がある。そのため、１つのＣＰＵに対してディスプレイ装置を複数制御するシステムが一般的であった。
【０００４】
しかしながら、複数のディスプレイ装置を１つのＣＰＵで制御する従来手法は、例えば展示会場やデパートなどの臨機応変にレイアウト変更が求められる状況下において、レイアウト変更などに伴うディスプレイ装置の移動や設定に多大な手間や時間を要することとなっていた。つまり、ディスプレイ装置の配置変更や設定変更に際し、例えばネットワーク設定や配線を修正しなければならないなど各種運用面に関してフルキシブル性に欠けるものとなっていたのである。
【０００５】
また一方で、１つのディスプレイ装置に対して複数ユーザの利用要求があっても、例えば１人のユーザ毎に順次使用を受け入れるといった具合に、複数ユーザからの同時利用に対応しきれていなかった。したがって、ディスプレイ装置の使用中ユーザ以外の他のユーザは待機状態を強いられるといった事態が生じていた。
【０００６】
そこで本発明は上記課題を鑑みてなされたものであり、ディスプレイ装置の配置変更等に柔軟に対応可能で、かつ複数ユーザの利用受入れを可能とするディスプレイ装置連携方法およびディスプレイ装置を提供することを主たる目的とする。
【課題を解決するための手段】
【０００７】
上記課題を解決する本発明のディスプレイ装置連携方法は、演算部および記憶部と通信インターフェイスたるＩ／Ｏ部とを備えてデータ通信可能な第１および第２のディスプレイ装置と、当該第１および第２のディスプレイ装置とデータ通信可能なサーバとを用いた、ディスプレイ装置の連携方法であって、第１ディスプレイ装置において、ユーザ端末からのアクセスを受け付けて、ユーザ認証情報を取得し、前記ユーザ認証情報を前記サーバに送信してユーザ認証依頼を実行し、このユーザ認証依頼に応じた認証結果をサーバより受信し、前記認証結果に応じて、予め設定された第１コンテンツを記憶部より抽出して表示し、当該第１ディスプレイ装置に紐付けられる第２ディスプレイ装置と当該第２ディスプレイ装置の利用状況とを記述したテーブルを用い、前記ユーザ端末向けに確保可能な第２ディスプレイ装置を特定して、該当第２ディスプレイ装置に前記ユーザ端末向けの表示機能資源の確保依頼を実行し、ユーザ端末から第２コンテンツの表示要求を受信すると共に、この第２コンテンツの表示指示を第２ディスプレイ装置に通知し、第２ディスプレイ装置において、前記表示機能資源の確保依頼を第１ディスプレイ装置より受けて、表示機能資源の確保を実行し、前記第２コンテンツの表示指示を第１ディスプレイ装置より受けて、当該表示指示に応じたコンテンツ取得要求をサーバに通知し、前記コンテンツ取得要求に応じた第２コンテンツをサーバより取得すると共に、前記表示機能資源を用いて当該第２コンテンツを表示する、ことを特徴とする。
【０００８】
また、演算部および記憶部と通信インターフェイスたるＩ／Ｏ部とを備えて、他のディスプレイ装置またはサーバとデータ通信可能なディスプレイ装置であり、ユーザ端末からのアクセスを受け付けて、ユーザ認証情報を取得するアクセス受付部と、前記ユーザ認証情報をサーバに送信してユーザ認証依頼を実行し、このユーザ認証依頼に応じた認証結果をサーバより受信する認証依頼実行部と、前記認証結果に応じて、予め設定された第１コンテンツを記憶部より抽出して表示する第１コンテンツ表示部と、当該ディスプレイ装置に紐付けられる他のディスプレイ装置と当該他のディスプレイ装置の利用状況とを記述したテーブルと、前記テーブルを用い、前記ユーザ端末向けに確保可能な他のディスプレイ装置を特定して、該当する他のディスプレイ装置に前記ユーザ端末向けの表示機能資源の確保依頼を実行するディスプレイ特定部と、ユーザ端末から第２コンテンツの表示要求を受信すると共に、この第２コンテンツの表示指示を前記他のディスプレイ装置に通知する第２コンテンツ通知部と、を備えることを特徴とするディスプレイ装置にかかる。
【０００９】
更に、演算部および記憶部と通信インターフェイスたるＩ／Ｏ部とを備えて、他のディスプレイ装置またはサーバとデータ通信可能なディスプレイ装置であり、ユーザ端末向けの表示機能資源の確保依頼を他のディスプレイ装置より受けて、表示機能資源の確保を実行する資源確保部と、コンテンツの表示指示を他のディスプレイ装置より受けて、当該表示指示に応じたコンテンツ取得要求をサーバに通知する取得要求通知部と、前記コンテンツ取得要求に応じたコンテンツをサーバより取得すると共に、前記表示機能資源を用いて当該コンテンツを表示するコンテンツ表示部と、を備えることを特徴とするディスプレイ装置にかかる。
【００１０】
その他、本願が開示する課題、及びその解決方法は、発明の実施の形態の欄、及び図面により明らかにされる。
【発明の効果】
【００１１】
本発明によれば、ディスプレイ装置の配置変更等に柔軟に対応可能で、かつ複数ユーザの利用受入れを可能とできる。
【発明を実施するための最良の形態】
【００１２】
以下に本発明の実施形態について図面を用いて詳細に説明する。なお、本実施形態において記載するディスプレイステーション（以降、ＤＳと記載）は、演算部および記憶部と通信インターフェイスたるＩ／Ｏ部とを備えてデータ通信可能な（第１および第２の）ディスプレイ装置を意味する。特に、他のディスプレイ装置、或いはユーザ端末としての各種情報端末と無線通信により連携した双方向コミュニケーション機能を有し、無線通信を適用することで設置場所の制約を受けにくくなっている。加えて、異なるシステムと容易に連携し、情報の授受も容易となっているのである。
【００１３】
また、本実施形態においては、本発明における第１ディスプレイ装置をメインＤＳ、第２ディスプレイ装置をサブＤＳと記載している。
【００１４】
図１は、本実施形態におけるディスプレイ装置連携方法の実施モデル概要を示す図であり、図２は、本実施形態におけるディスプレイ装置を含むネットワーク構成図である。ここでは、例として展示会場やデパートなどにディスプレイ装置を配置した状況を想定し、ディスプレイ装置連携方法の概要を説明する。なお、処理内容の詳細については後述するものとする。
【００１５】
また、展示会場等の地図情報を表示するディスプレイ装置を前記メインＤＳ１００とし、一方、当該メインＤＳ１００と連携し、メインＤＳ１００の表示情報とリンクした情報を表示するディスプレイ装置をサブＤＳ１０１としている。
【００１６】
本発明におけるユーザ端末としては、無線通信網１０９を介してメインＤＳ１００に接続するＰＤＡ１０３を想定できる。メインＤＳ１００はこのＰＤＡ１０３がアクセスすると画面の地図上に当該ＰＤＡ１０３において表示しているマスコット１１１ａ（アイコンデータ）と同じマスコット１１１ｂを表示する。また、無線通信網１０８を介してサブＤＳ１０１にＰＤＡ１０３が接続したことを通知する。
【００１７】
一方、サブＤＳ１０１は、分割画面のうちで空いている１つに前記マスコット１１１ｂと同じマスコット１１１ｃを表示する。また、メインＤＳ１００に表示している情報とリンクした情報（例：ユーザ端末毎やユーザ毎にカスタマイズされた提供情報）を表示する。
【００１８】
ユーザ端末としてＰＤＡ１０３の他に、携帯電話機１０２を想定することもできる。携帯電話機１０２は、携帯電話網１０６を介して携帯キャリアサーバ２０６に接続し、携帯電話キャリア側との回線を確立する。また、この携帯キャリアサーバ２０６を介してインターネット等のネットワーク１０５に接続する。更にルータ２０７、ＬＡＮ２０８、ファイアウォール２０９を介して携帯電話サーバ２１０にアクセスし、この携帯電話サーバ２１０を通じて、メインＤＳ１００にアクセスできる。携帯電話制御システム２１１（携帯電話キャリアが管理するシステム）とメインＤＳ１００との間は、無線通信網１０７（図２：無線ＬＡＮ２０５含む）を介して結ばれる。
【００１９】
一方、ＰＤＡ１０３の場合と同様に、携帯電話機１０２のアクセスを受けたメインＤＳ１００は、自身の画面の地図上に前記携帯電話機１０２において表示しているマスコット１１２ａと同じマスコット１１２ｂを表示する。また、無線通信網１０８を介してサブＤＳ１０１に携帯電話機１０２が接続したことを通知する。
【００２０】
他方、サブＤＳ１０１は、分割画面のうちで空いている１つに、前記マスコット１１２ｂと同じマスコット１１２ｃを表示する。また、メインＤＳ１００に表示している情報とリンクした情報を表示する。
【００２１】
ユーザ端末として、他にも、無線ＩＣタグを有する装置或いは媒体を想定することができる。ここでは無線ＩＣタグを格納した無線タグカード１０４を例示する。この無線タグカード１０４は、無線通信網１１０を介して、メインＤＳ１００（の無線ＩＣタグのリーダ）に検出される。メインＤＳ１００は、無線通信網１０８を介して、サブＤＳ１０１に無線タグカード１０４を検出したことを通知する。
【００２２】
他方、サブＤＳ１０１は、分割画面のうちで空いている１つに、前記無線タグカード１０４から読み取られた格納情報をキーとして取得した情報（メインＤＳ１００に表示している情報とリンクした情報）を表示する。また、サブＤＳ１０１は、無線通信網１１３を介して、別のＤＳ（図示せず）と接続し、メインＤＳ１００やサブＤＳ１０１との情報のリンクを実行できる。
【００２３】
なお、Ｗｅｂカメラ２００を含むメインＤＳ１００とサブＤＳ１０１との構成をディスプレイステーション群２０１とする。また、ＰＤＡ１０３と無線タグカード１０４との構成を携帯端末群２０２とする。例えばある展示会場を拠点Ａとすれば、この拠点Ａにはディスプレイステーション群２０１と携帯端末群２０２とが配置されることとなる。同様に拠点Ｂには、ディスプレイステーション群２０３と、携帯端末群２０４とが配置される。
【００２４】
他に、ディスプレイ装置連携方法を運営する企業等が備える社内システム２１５として、メールサーバ２１２、イントラネット網２１３、ルータ２１４が想定でき、図２に示すようにＬＡＮ２０５を通じて外部装置（メインＤＳ１００、サブＤＳ１０１など）とデータ通信可能となっている。
【００２５】
上述のような構成の下、前記携帯電話サーバ２１０には、携帯電話機１０２からの情報が、携帯キャリアサーバ２０６、インターネット１０５、ルータ２０７、ファイアウォール２０９を介して蓄積されている。また、映像配信サーバ２１６には、カメラ２１９で撮影した映像/音声情報が蓄積、配信されている。
【００２６】
一方、メインサーバ２１７では、メインＤＳ１００、サブＤＳ１０１を含むディスプレイステーション群２０１、携帯端末群２０２に表示するデータや、各種端末のアクセス状況が蓄積されている。従って、メインＤＳ１００は、それらの蓄積情報をＬＡＮ２０５を介して、メインサーバ２１７より受信することができる。
【００２７】
同様に、メインＤＳ１００からの情報は、ＬＡＮ２０５を介して、携帯電話サーバ２１０、メインサーバ２１７に送信される。この様に、メインＤＳ１００はＬＡＮ２０５を介して、携帯電話サーバ２１０、映像配信サーバ２１６、メインサーバ２１７等と、データの双方向通信処理を実施する。なお、本発明におけるサーバは、少なくとも前記メインサーバ２１７を含むものとし、映像配信サーバ２１６を含めることもできる。
【００２８】
また、メインＤＳ１００に接続しているＬＡＮ２０５にはＷｅｂカメラ２００が接続されており、拠点Ａの周辺映像を他の拠点に配信することができる。従って、拠点Ｂのディスプレイステーション群２０３はＬＡＮ２０５を介して拠点Ａに位置するＷｅｂカメラ２００の映像を受信することも可能である。更に、図示していないが、拠点Ｂに位置するＷｅｂカメラで撮影した映像情報を拠点ＡのメインＤＳ１００が受信することもできる。この様に、複数拠点間のＷｅｂカメラで撮影した映像情報をメインＤＳ１００などディスプレイ装置において表示することが可能になる。
【００２９】
前記メインＤＳ１００とサブＤＳ１０１との間は無線通信網１０８で接続しており、この無線通信網１０８を介して、データの双方向通信処理を実施できる。本実施形態においては、サブＤＳ１０１が携帯電話サーバ２１０、映像配信サーバ２１６、メインサーバ２１７等とのデータの双方向通信処理を実施する場合、メインＤＳ１００を介して実施することになる。更に、サブＤＳ１０１が他の拠点のＷｅｂカメラで撮影した映像を表示する場合でも、同様に、メインＤＳ１００を介して実施することになる。ディスプレイステーション群２０１のサブＤＳ１０１に新たなＤＳが接続された場合も同様に、無線通信網１１３を経由することで、各種サーバで蓄積、配信するデータとの双方向通信を実施することになる。
【００３０】
メインＤＳ１００は複数のＰＤＡ１０３と無線通信網１０９で接続している。よって、ＰＤＡ１０３は、この無線通信網１０９を介して、メインＤＳ１００、サブＤＳ１０１との双方向通信処理を実施する。ＰＤＡ１０３が携帯電話サーバ２１０、映像配信サーバ２１６、メインサーバ２１７等と、データの双方向通信処理を実施する場合、当該ＰＤＡ１０３はメインＤＳ１００を介して処理を行うことになる。従って、例えばメインＤＳ１００に接続しているＰＤＡ１０３の指示により、サブＤＳ１０１が携帯電話サーバ２１０、映像配信サーバ２１６、メインサーバ２１７等とデータの双方向通信処理を実施する場合、メインＤＳ１００を中継して実施することになる。
【００３１】
なお、本実施形態では、メインＤＳ１００を介して、サブＤＳ１０１との通信、或いは各種サーバ２１６、２１７等との通信を行うとしたが、これに限定されない。例えば、各ディスプレイ装置がメインＤＳ１００と同様の処理機能を備えるものとし、各ディスプレイ装置が直接にサーバ類や他のディスプレイ装置とデータ通信を行うとしてもよい。
【００３２】
図３は、本実施形態におけるディスプレイステーションの内部構成を説明する図である。本発明のディスプレイ装置たるメインおよびサブの各ディスプレイステーション１００、１０１は、例えば液晶パネル等とその制御回路を含む表示部３００ａ、３００ｂ、およびＣＰＵ等から構成される処理部（演算部）３０１ａ、３０１ｂ、ならびにメモリ部（記憶部）３０６ａ、３０６ｂを備えている。
【００３３】
メモリ部３０６ａには、サブＤＳ１０１の利用状況を記述したテーブル、図中では「サブＤＳ空き情報」等が格納される。また、メモリ部３０６ｂには、マスコット情報等が格納される。また、記憶装置（図中：ＨＤＤ）３０５ａ、３０５ｂには、本発明のアイコンデータたるマスコットデータが格納される。
【００３４】
前記メモリ部３０６ａにおけるサブＤＳ空き情報は、図に示す通り、サブＤＳ１０１における分割画面の番号（表示窓番号）毎の利用状況（空き状況）を記録したデータ構造３０９となる。このサブＤＳ空き情報は、メインＤＳ１００に紐付けられるサブＤＳ１０１と当該サブＤＳ１０１の利用状況とを記述したテーブルとなり、例えばサブＤＳ１０１毎に生成・管理する。また、前記メモリ部３０６ｂにおけるマスコット情報は、サブＤＳ１０１の分割画面の番号（表示窓番号）毎に、各分割画面に表示中のマスコットの番号を記録したデータ構造３１０となる。これもサブＤＳ１０１毎に生成・管理する。
【００３５】
更に、他のディスプレイ装置またはサーバといった外部装置とデータ通信可能な通信インターフェイスたるＩ／Ｏ部（図中：“ＬＡＮ  Ｉ／Ｏ部”と記載）を備えている。特に、メインＤＳ１００は、無線タグカード１０４の読取りを行うべく、無線タグＩ／Ｏ部３０８を有している。
【００３６】
メインＤＳ１００とサブＤＳ１０１との間、或いはメインＤＳ１００とアクセスポイント(以下、ＡＰと記載)３０７との間、メインＤＳ１００と前記無線タグカード１０４との間、メインＤＳ１００とユーザ端末との間は、無線通信網１０７、１０８、１０９、１１０、１１３により接続される。
【００３７】
こうした構成を備えるメインＤＳ１００およびサブＤＳ１０１は、前記処理部３０１ａ、または３０１ｂにより、必要なデータをメモリ部３０６ａまたは３０６ｂ（或いはＨＤＤ３０５ａ、３０５ｂ）において読み書きしつつ、例えばメモリ部内に保存されたプログラムを実行する。このプログラムは、本発明のディスプレイ装置連携方法を実現するためのプログラムであり、以下の機能ブロックからなる。ただし、この機能ブロックをハードウェアとして実現し、対応するディスプレイステーションに備えるものとしてもよい。
【００３８】
前記メインＤＳ１００における機能ブロックは、ユーザ端末からのアクセスを受け付けて、ユーザ認証情報を取得するアクセス受付部１０と、前記ユーザ認証情報をサーバに送信してユーザ認証依頼を実行し、このユーザ認証依頼に応じた認証結果をサーバより受信する認証依頼実行部１１と、前記認証結果に応じて、予め設定された第１コンテンツ（既出の例では、展示会場においてユーザ端末の位置を示す地図）を記憶部より抽出して表示する第１コンテンツ表示部１２とを備える。
【００３９】
また、前記テーブル（サブＤＳ空き情報３０９）を用い、前記ユーザ端末向けに確保可能な他のディスプレイ装置（サブＤＳ１０１）を特定して、該当する他のディスプレイ装置（サブＤＳ１０１）に前記ユーザ端末向けの表示機能資源（例：分割画面の少なくともいずれか、またはその分割画面の制御装置）の確保依頼を実行するディスプレイ特定部１３と、ユーザ端末から第２コンテンツ（例：メインＤＳ１００に表示している情報とリンクした情報で、例えばユーザ端末毎やユーザ毎にカスタマイズされた提供情報）の表示要求を受信すると共に、この第２コンテンツの表示指示を前記他のディスプレイ装置（サブＤＳ１０１）に通知する第２コンテンツ通知部１４とを備える。
【００４０】
他方、前記サブＤＳ１０１における機能ブロックは、ユーザ端末向けの表示機能資源の確保依頼を他のディスプレイ装置（メインＤＳ１００）より受けて、表示機能資源の確保を実行する資源確保部１５と、コンテンツの表示指示を他のディスプレイ装置（メインＤＳ１００）より受けて、当該表示指示に応じたコンテンツ取得要求をサーバに通知する取得要求通知部１６と、前記コンテンツ取得要求に応じたコンテンツをサーバより取得すると共に、前記表示機能資源を用いて当該コンテンツを表示するコンテンツ表示部１７とを備える。
【００４１】
続いて、メインサーバ２１７に格納されている各種テーブルについて説明する。図４は、ユーザ管理テーブル４００のデータ構造を示す図である。このユーザ管理テーブル４００は、ユーザ認証に際して用いられるものであり、ユーザＩＤ４０１をキーとして、ユーザ名４０２、所属する社名４０３および部署名４０４のデータを関連づけしたレコードからなる。なお、前記ユーザＩＤ４０１は、ユーザを一意に識別するＩＤである。
【００４２】
他に、ＰＤＡ管理テーブル５００も存在する。図５は、ＰＤＡ管理テーブル５００のデータ構造を示す図である。このテーブル５００は、ＰＤＡに一意に割りふられる機器ＩＤ５０１をキーに、ＰＤＡを使用するユーザを示すユーザＩＤ５０２、ＰＤＡが接続しているメインＤＳ１００（またはサブＤＳ１０１）の番号を示す接続先ＤＳ番号５０３、機器ＩＤ５０１に対応して設定済みのマスコット番号５０４といったデータが関連づけされたレコードからなる。ＰＤＡがメインＤＳ１００に接続した際に、メインＤＳ１００またはＰＤＡ１０３の画面上において該当ＰＤＡのマスコット番号５０４に対応したマスコットをＨＤＤ３０５ａ又は３０５ｂより取り出して表示することとなる。
【００４３】
更に、資料テーブル６００も存在する。図６は、資料テーブル６００のデータ構造を示す図である。このテーブル６００は、本発明における第２コンテンツたる資料を一意に識別するためのＩＤである資料ＩＤ６０１をキーに、ネットワーク上で資料が格納されているアドレスを示す資料ＵＲＬ６０２が関連づけされたレコードからなる。
【００４４】
図７は、無線タグカード管理テーブル７００のデータ構造を示す図である。他にも無線タグカード管理テーブル７００が存在する。このテーブル７００は、本発明におけるログテーブル（サーバでなくディスプレイ装置に備わるとしてもよい）の一つであり、無線タグカードを一意に識別するためのカードＩＤ７０１をキーに、各無線タグカード１０４が各エリアを通過したかどうか（各ディスプレイ装置を利用済みか否か）を示すエリア情報７０２、エリア情報７０３、エリア情報７０４が関連づけされたレコードからなる。例えば、前記エリア情報が、“０”の場合「未通過」、“１”の場合「通過」を示すものとする。エリア情報欄に関しては、エリアの数により増減できる。
【００４５】
図８は、履歴管理テーブル８００のデータ構造を示す図である。このテーブル８００は、本発明におけるログテーブル（サーバでなくディスプレイ装置に備わるとしてもよい）の一つであり、履歴の登録があるたびに1から順番に＋１づつ割り振られる履歴番号８０１をキーに、履歴登録が行われた日時を示す記録日時８０２、履歴登録を行った機器を示す機器番号８０３、履歴登録を行ったユーザを示すユーザＩＤ８０４、機器が接続したＤＳを示す接続先ＤＳ番号８０５、機器が行った内容を示す履歴タイプ８０６、といった情報が関連づけされたレコードからなる。なお、前記機器番号８０３は、例えば“０”を「携帯電話機」、“１”を「ＰＤＡ」、“２”を「無線タグカード」と設定することができる。また、前記履歴タイプ８０６は、“０”を「機器接続」、“１”を「機器接続解除」と設定することができる。
【００４６】
なお、本実施形態においては、第１ディスプレイ装置としてのメインＤＳ１００と、第２ディスプレイ装置としてのサブＤＳ１０１と、サーバとしてのメインサーバ２１７（映像配信サーバ２１６を含むとしてもよい）とを別々の装置として示したが、サーバの機能をメインＤＳ１００またはサブＤＳ１０１の少なくともいずれかが備えて本発明のディスプレイ装置連携方法を実現するとしてもよい。
【００４７】
また、メインＤＳ１００、サブＤＳ１０１、ユーザ端末やサーバ類を結ぶネットワークに関しては、インターネットやＬＡＮの他、専用回線やＷＡＮ（Wide Area Network）、電灯線ネットワーク、無線ネットワーク、公衆回線網、携帯電話網など様々なネットワークを採用することも出来る。また、ＶＰＮなど仮想専用ネットワーク技術を用いれば、インターネットを採用した際にセキュリティ性を高めた通信が確立され好適である。
【００４８】
次に、本実施形態におけるディスプレイ装置連携方法の詳細手順について説明する。なお、以下で説明するディスプレイ装置連携方法に対応する各種動作は、メインＤＳ１００またはサブＤＳ１０１のメモリ部３０６ａ、３０６ｂが備える前記プログラムによって実現される。そして、このプログラムは、以下に説明される各種の動作を行うためのコードから構成されている。
【００４９】
図９は、ＰＤＡ１０３からメインＤＳ１００へログインするまでの流れを示したフロー図である。ＰＤＡ１０３には、事前にユーザＩＤ、マスコット番号等の情報を登録してあるものとする。また、メインサーバ２１７上のユーザ管理テーブル４００にもＰＤＡ１０３に対応するユーザＩＤ等の情報を登録してあるものとする。ＰＤＡ１０３がＡＰ３０７に無線ＬＡＮ接続（９０１）すると、ＡＰ３０７はＤＨＣＰ機能によりＰＤＡ１０３にＩＰアドレスを割り振る（９０２）。
【００５０】
ＰＤＡ１０３は、前記ＡＰ３０７が接続している検出ＤＳ９００（例：メインＤＳ１００のうちいずれかで、ＰＤＡ１０３に近接しているもの）のＩＰアドレスを取得する（９０３）。ＰＤＡ１０３は検出ＤＳ９００に近隣（メイン）ＤＳリスト要求を送信する（９０４）。一方、検出ＤＳ９００は、ＰＤＡ１０３に近隣ＤＳのリストを送信する（９０５）。  ＰＤＡ１０３は受信した近隣ＤＳリストより接続ＤＳ選択画面を生成する。ＰＤＡ１０３上の接続ＤＳ選択画面から接続対象のメインＤＳが選択されたら（９０６）、ＰＤＡ１０３より接続対象となるメインＤＳ１００の処理部３０１ａに接続要求を送信する（９０７）。この時、ユーザＩＤ、マスコット番号、機器ＩＤを同時に送信する。
【００５１】
メインＤＳ１００の処理部３０１ａは、受信したユーザＩＤがメインサーバ２１７上のユーザ管理テーブル４００（データ構造に関しては図４を参照）に存在するかどうかの問い合わせを行なう（９０８）。これにより該当ユーザＩＤが登録されていることを確認する（９０９）。
【００５２】
次に処理部３０１ａは、メモリ部３０６ａに格納されているサブＤＳ空き情報３０９を参照して、空き状態にある表示窓番号を検索し、前記ＰＤＡ１０３向けとして選定する。そして、前記サブＤＳ空き情報３０９においてこの表示窓番号に対応する欄を「使用中」のステータスとする（９１０）。そして、メインサーバ２１７上のＰＤＡ管理テーブル５００（データ構造に関しては図５を参照）に、機器ＩＤ、ユーザＩＤ、接続先ＤＳ番号、マスコット番号を登録する（９１１）。
【００５３】
前記処理部３０１ａは、表示部３００ａにマスコット表示通知（マスコット番号）を送信し（９１２）、表示部３００ａはＨＤＤ３０５ａよりマスコット番号に対応するマスコットデータを抽出し表示する（９１３）。この時、図１に示したようにＰＤＡ１０３上のマスコット１１１ａとメインＤＳ１００上のマスコット１１１ｂといったように同じマスコットを表示する。
【００５４】
前記処理部３０１ａは、サブＤＳ１０１の処理部３０１ｂに対してＰＤＡ接続メッセージ(表示窓番号、マスコット番号)を送信する（９１４）。一方、サブＤＳ１０１の処理部３０１ｂは、このＰＤＡ接続メッセージを受信すると、表示部３００ｂにＰＤＡ接続通知を送信する（９１５）。表示部３００ｂは、ＰＤＡ接続通知を受信するとメインサーバ２１７に、予め設定されている例えば「Ｗｅｌｃｏｍｅページ」を要求する（９１６）。
【００５５】
メインサーバ２１７は、対応する「Ｗｅｌｃｏｍｅページ」をサブＤＳ１０１の表示部３００ｂに送信する（９１７）。表示部３００ｂでは、メインサーバ２１７から送信された「Ｗｅｌｃｏｍｅページ」と、ＨＤＤ３０５ｂにおいて抽出した、マスコット番号に対応するマスコットデータとを表示する（９１８）。この時、図１に示すようにＰＤＡ１０３上のマスコット１１１ａとメインＤＳ１００上のマスコット１１１ｂとサブＤＳ１０１上のマスコット１１１ｃといったように同じマスコットを表示する。
【００５６】
次に、サブＤＳ１０１の表示部３００ｂはメモリ部３０６ｂに格納されているマスコット情報３１０の表示窓番号に対応する欄において、マスコット番号を登録する（９１９）。また、接続対象メインＤＳ１００の処理部３０１ａは、他のメインＤＳへＰＤＡ１０３が接続したことを通知する（９２０）。このことにより、他のメインＤＳ上の画面にＰＤＡ１０３で使用しているマスコットを表示させることが可能となり、ＰＤＡ１０３の接続先ＤＳを他のメインＤＳで確認することが可能となる。
【００５７】
メインＤＳ１００の処理部３０１ａは、メインサーバ２１７上の履歴管理テーブル８００（データ構造に関しては図８を参照）にＰＤＡ接続履歴を登録する（９２１）。また、ＰＤＡ１０３に接続完了通知を送信し（９２２）、ログイン処理が完了する。
【００５８】
図１０は、ＰＤＡ１０３の操作により、サブＤＳ１０１の画面上に資料を表示するまでの流れを示したフロー図である。ＰＤＡ１０３は、すでに図９にて示したログイン処理を完了しているものとする。ＰＤＡ１０３はメインＤＳ１００の処理部３０１ａに対して資料メニュー情報の要求を行う（１０００）。
【００５９】
メインＤＳ１００の処理部３０１ａは、資料メニュー情報をＰＤＡ１０３に対して送信する（１００１）。ＰＤＡ１０３は、受信した資料メニュー情報より資料選択メニューを生成する。ＰＤＡ１０３上でサブＤＳ１０１に表示したい資料が選択されると（１００２）、ＰＤＡ１０３は、選択メニュー情報（資料ＩＤ）をメインＤＳ１００の処理部３０１ａに送信する（１００３）。
【００６０】
メインＤＳ１００の処理部３０１ａは、受信した資料ＩＤとＰＤＡ１０３に割り振られているサブＤＳ上の表示窓番号を資料表示メッセージとして、サブＤＳ１０１の処理部３０１ｂに送信する（１００４）。サブＤＳ１０１の処理部３０１ｂは、受信した資料ＩＤに対応する表示ページＵＲＬをメインサーバ２１７に要求する（１００５）。メインサーバ２１７は受信した資料ＩＤより資料テーブル６００（データ構造に関しては図６を参照）より表示ページＵＲＬを抽出し、サブＤＳ１０１の処理部３０１ｂに表示ページＵＲＬを送信する（１００６）。
【００６１】
サブＤＳ１０１の処理部３０１ｂは、受信したＵＲＬと表示窓番号とを含むページ表示通知を、表示部３００ｂに送信する（１００７）。表示部３００ｂは、受信したページ表示通知のＵＲＬを元にメインサーバ２１７に表示ページを要求する（１００８）。メインサーバ２１７は、対応する表示ページをサブＤＳ１０１の表示部３００ｂに送信する（１００９）。
【００６２】
前記表示部３００ｂは、メモリ部３０６ｂに格納されているマスコット情報３１０より、表示窓番号に対応したマスコット番号を抽出する（１０１０）。また、ＨＤＤ３０５ｂより、前記抽出したマスコット番号に対応するマスコットデータを抽出し、メインサーバ２１７から受信した表示ページと共に画面上に表示し（１０１１）、資料表示処理が完了する。
【００６３】
図１１は、接続しているメインＤＳ１００からＰＤＡ１０３がログアウトするまでの流れを示したフロー図である。ＰＤＡ１０３において、メインＤＳ１００の処理部３０１ａに対してログアウト通知を送信する（１１００）か、処理部３０１ａ上でＴｉｍｅＯｕｔが発生する（１１０１）と、処理部３０１ａは表示部３００ａにマスコット削除通知を送信する（１１０２）。
【００６４】
前記表示部３００ａは、前記のマスコット削除通知を受信すると画面上の該当マスコットを削除する（１１０３）。次に、処理部３０１ａは、サブＤＳ１０１の処理部３０１ｂに対してＰＤＡ接続解除メッセージ（表示窓番号）を送信する（１１０４）。サブＤＳ１０１の処理部３０１ｂはＰＤＡ接続解除メッセージを受信すると、表示部３００ｂにＰＤＡ接続解除通知を送信する（１１０５）。
【００６５】
前記表示部３００ｂは、ＰＤＡ接続解除通知を受信するとメインサーバ２１７に空きページを要求する（１１０６）。メインサーバ２１７は対応する空きページをサブＤＳ１０１の表示部３００ｂに送信する（１１０７）。表示部３００ｂは、メインサーバ２１７から送られてきた空きページを画面上に表示する（１１０８）。また、前記表示部３００ｂは、メモリ部３０６ｂに格納されているマスコット情報３１０において、該当表示窓番号に対応するマスコット番号を削除する（１１０９）。
【００６６】
次に、メインＤＳ１００の処理部３０１ａは、他のメインＤＳ（またはサブＤＳ１０１）へ、ＰＤＡが接続解除したことを通知する（１１１０）。このことにより、他のメインＤＳ（またはサブＤＳ１０１）に表示していたマスコットを削除することができる。また、前記処理部３０１ａは、メインサーバ２１７上のＰＤＡ管理テーブル５００（データ構造に関しては図５を参照）の該当するＰＤＡ情報を削除する（１１１１）。
【００６７】
続いて処理部３０１ａは、メインサーバ２１７上の履歴管理テーブル８００（データ構造に関しては図８を参照）にＰＤＡ接続解除履歴を登録する（１１１２）。次に、メモリ部３０６ａに格納されているサブＤＳ空き情報３０９において、該当表示窓番号に対応する空き状況を「未使用」のステータスにする（１１１３）。また、前記処理部３０１ａは、ＰＤＡ１０３に接続解除完了通知を送信し（１１１４）、ログアウト処理が完了する。
【００６８】
図１２は、携帯電話機１０２からメインＤＳ１００へログインするまでの流れを示したフロー図である。携帯電話機１０２は、事前にユーザＩＤ等の情報を登録してあるもととする。また、メインサーバ２１７上のユーザ管理テーブル４００にも携帯電話機１０２に対応するユーザＩＤ等の情報を登録してあるものとする。携帯電話機１０２で携帯電話サーバ２１０にログインすると（１２００）、携帯電話サーバ２１０から接続可能ＤＳページを携帯電話機１０２に送信される（１２０１）。
【００６９】
携帯電話機１０２は、送られてきた接続可能ＤＳページより、接続するメインＤＳを選択する（１２０２）。携帯電話機１０２上で接続するメインＤＳが選択されると、携帯電話機１０２はメインＤＳ１００の処理部３０１ａに、ユーザＩＤを送信する（１２０３）。一方、前記処理部３０１ａは、ここで受信したユーザＩＤがメインサーバ２１７上のユーザ管理テーブル４００（データ構造に関しては図４を参照）において存在するかどうかの問い合わせを行ない（１２０４）、該当ユーザＩＤが登録されていることを確認する（１２０５）。
【００７０】
次に、前記処理部３０１ａは、メモリ部３０６ａに格納されているサブＤＳ空き情報３０９に基づき、空き状態の表示窓を選択し携帯電話機１０２向けの表示窓番号を決定する。また、前記サブＤＳ空き情報３０９において、この表示窓番号に対応する欄を「使用中」のステータスとする（１２０６）。また、前記処理部３０１ａは、使用するマスコットの番号を適宜なアルゴリズムのもと決定し（１２０７）、表示部３００ａに対するスコット表示通知（マスコット番号）を送信する（１２０８）。
【００７１】
表示部３００ａは、ＨＤＤ３０５ａより前記マスコット番号に対応するマスコットデータを抽出し表示する（１２０９）。この時、図１に示すように携帯電話機１０２上のマスコット１１２ａとメインＤＳ１００上のマスコット１１２ｂといったように同じマスコットを表示する。
【００７２】
次に、前記処理部３０１ａは、サブＤＳ１０１の処理部３０１ｂに対して携帯電話接続メッセージ(表示窓番号、マスコット番号)を送信する（１２１０）。サブＤＳ１０１の処理部３０１ｂは、この携帯電話接続メッセージを受信すると、表示部３００ｂに携帯電話接続通知を送信する（１２１１）。表示部３００ｂは、携帯電話接続通知を受信するとメインサーバ２１７に例えば「Ｗｅｌｃｏｍｅページ」を要求する（１２１２）。
【００７３】
メインサーバ２１７は対応する「Ｗｅｌｃｏｍｅページ」をサブＤＳ１０１の表示部３００ｂに送信する（１２１３）。表示部３００ｂは、メインサーバ２１７から送信された「Ｗｅｌｃｏｍｅページ」とＨＤＤ３０５ｂより抽出したマスコットデータとを表示する（１２１４）。この時、図１に示すように携帯電話機１０２上のマスコット１１２ａとメインＤＳ１００上のマスコット１１２ｂとサブＤＳ１０１上のマスコット１１２ｃといったように同じマスコットを表示する。
【００７４】
前記表示部３００ｂは、メモリ部３０６ｂに格納されているマスコット情報３１０において、前記表示窓番号に対応する欄にマスコット番号を登録する（１２１５）。次に、メインＤＳ１００の処理部３０１ａは、他のメインＤＳ（またはサブＤＳ１０１）へ携帯電話機が接続したことを通知する（１２１６）。このことにより、他のメインＤＳ上の画面に携帯電話機１０２で使用しているマスコットを表示させることが可能となり、携帯電話機１０２の接続先ＤＳを他のメインＤＳで確認することが可能となる。
【００７５】
また、メインＤＳ１００の処理部３０１ａは、メインサーバ２１７上の履歴管理テーブル８００（データ構造に関しては図８を参照）に携帯電話接続履歴を登録する（１２１７）。更に、携帯電話機１０２に接続完了通知（マスコット番号）を送信し（１２１８）、ログイン処理が完了する。
【００７６】
図１３は、携帯電話機１０２の操作により、サブＤＳ１０１の画面上に資料を表示するまでの流れを示したフロー図である。携帯電話機１０２はすでに図１２で示したログイン処理を完了しているものとする。携帯電話機１０２は携帯電話サーバ２１０に対して資料メニューページの要求を行う（１３００）。携帯電話サーバ２１０は、資料メニューページを携帯電話機１０２に対して送信する（１３０１）。携帯電話機１０２上でサブＤＳ１０１に表示したい資料が選択されると（１３０２）、携帯電話機１０２が選択メニュー情報（資料ＩＤ）をメインＤＳ１００の処理部３０１ａに送信する（１３０３）。
【００７７】
前記処理部３０１ａは、受信した資料ＩＤと携帯電話機１０２に割り振られているサブＤＳ上の表示窓番号を資料表示メッセージとしてサブＤＳ１０１の処理部３０１ｂに送信する（１３０４）。前記処理部３０１ｂは、受信した資料ＩＤに対応する表示ページＵＲＬをメインサーバ２１７に要求する（１３０５）。一方、メインサーバ２１７は、受信した資料ＩＤより資料テーブル６００（データ構造に関しては図６を参照）より表示ページＵＲＬを抽出し、サブＤＳ１０１の処理部３０１ｂに表示ページＵＲＬを送信する（１３０６）。
【００７８】
処理部３０１ｂは、メインサーバ２１７より受信したＵＲＬと表示窓番号とを含むページ表示通知を、表示部３００ｂに送信する（１３０７）。表示部３００ｂは、受信したページ表示通知のＵＲＬを元にメインサーバ２１７に表示ページを要求する（１３０８）。メインサーバ２１７は対応する表示ページをサブＤＳ１０１の表示部３００ｂに送信する（１３０９）。前記表示部３００ｂは、メモリ部３０６ｂに格納されているマスコット情報３１０より、表示窓番号に対応したマスコット番号を抽出する（１３１０）。また、表示部３００ｂは、ＨＤＤ３０５ｂより、抽出した前記マスコット番号に対応するマスコットデータを抽出し、メインサーバ２１７から受信した表示ページと共に画面上に表示し（１３１１）、資料表示処理が完了する。
【００７９】
図１４は、接続しているメインＤＳ１００から携帯電話機１０２をログアウトするまでの流れを示したフロー図である。携帯電話機１０２において、携帯電話サーバ２１０を経由してメインＤＳ１００の処理部３０１ａに対してログアウト通知を送信するか（１４００）、処理部３０１ａ上でＴｉｍｅＯｕｔが発生すると（１４０１）、処理部３０１ａは表示部３００ａにマスコット削除通知を送信する（１４０２）。前記表示部３００ａは、マスコット削除通知を受信すると、画面上の該当マスコットを削除する（１４０３）。
【００８０】
続いて処理部３０１ａは、サブＤＳ１０１の処理部３０１ｂに対して携帯電話接続解除メッセージ（表示窓番号）を送信する（１４０４）。サブＤＳ１０１の処理部３０１ｂは、携帯電話接続解除メッセージを受信すると、表示部３００ｂに携帯電話接続解除通知を送信する（１４０５）。表示部３００ｂは、携帯電話接続解除通知を受信するとメインサーバ２１７に空きページを要求する（１４０６）。
【００８１】
メインサーバ２１７は、対応する空きページをサブＤＳ１０１の表示部３００ｂに送信する（１４０７）。表示部３００ｂは、メインサーバ２１７から送られてきた空きページを画面上に表示する（１４０８）。また、表示部３００ｂは、メモリ部３０６ｂに格納されているマスコット情報３１０において、該当表示窓番号に対応するマスコット番号を削除する（１４０９）。
【００８２】
次に、メインＤＳ１００の処理部３０１ａは、他のメインＤＳへ携帯電話機１０２が接続解除したことを通知する（１４１０）。このことにより、他のメインＤＳに表示していたマスコットを削除することができる。また、メインサーバ２１７上の履歴管理テーブル８００（データ構造に関しては図８を参照）に携帯電話接続解除履歴を登録する（１４１１）。一方、メインＤＳ１００の処理部３０１ａは、メモリ部３０６ａに格納されているサブＤＳ空き情報３０９において、表示窓番号に対応する空き状況を「未使用」のステータスにする（１４１２）。また処理部３０１ａは、携帯電話機１０２に接続解除完了通知を送信し（１４１３）、ログアウト処理が完了する。
【００８３】
図１５は、無線タグカード１０４により、サブＤＳ１０１に固有情報を表示し、一定時間後、サブＤＳ１０１に表示している固有情報を削除するまでの流れを示したフロー図である。無線タグカード１０４のカードＩＤは、事前にメインサーバ２１７上の無線タグカード管理テーブル７００に登録してあるもととする。
【００８４】
メインＤＳ１００の処理部３０１ａは、無線タグＩ／Ｏ部３０８に対して一定間隔で、無線タグカード検出用にポーリングを行う（１５００）。無線タグカード１０４をメインＤＳ１００の無線タグＩ／Ｏ部３０８に近づけることにより（１５０１）、無線タグＩ／Ｏ部３０８は無線タグカード１０４のカードＩＤを読取り、処理部３０１ａに送る（１５０２）。メインＤＳ１００の処理部３０１ａは、受信したカードＩＤをメインサーバ２１７上の無線タグカード管理テーブル７００（データ構造に関しては図７を参照）において照合し、該当カードＩＤがあるかどうかの問い合わせを行う（１５０３）。これにより該当カードＩＤが登録されていることを確認する（１５０４）。
【００８５】
次に、前記処理部３０１ａは、メインサーバ２１７上の無線タグカード管理テーブル７００に対しエリア情報の更新（例：“０”→“１”に変更）を行う（１５０５）。また、処理部３０１ａは、メモリ部３０６ａに格納されているサブＤＳ空き情報３０９に基づき、空き状態の表示窓を選択して表示窓番号を決定する。また、サブＤＳ空き情報３０９においてこの表示窓番号に対応する欄を「使用中」のステータスにする（１５０６）。また、処理部３０１ａは、表示部３００ａに無線タグ検出通知を送信し（１５０７）、表示部３００ａは画面上に無線タグを検出したことを表示する（１５０８）。
【００８６】
次に、処理部３０１ａは、サブＤＳ１０１の処理部３０１ｂに対して無線タグカード検出メッセージ(表示窓番号、カードＩＤ)を送信する（１５０９）。サブＤＳ１０１の処理部３０１ｂは無線タグカード検出メッセージを受信すると、表示部３００ｂに無線タグカード検出通知を送信する（１５１０）。表示部３００ｂは、無線タグカード検出通知を受信すると、カードＩＤより表示ページＵＲＬを生成する（１５１１）。表示部３００ｂは生成した表示ページＵＲＬよりメインサーバ２１７に表示ページを要求する（１５１２）。  メインサーバ２１７は、対応する表示ページをサブＤＳ１０１の表示部３００ｂに送信する（１５１３）。表示部３００ｂは、メインサーバ２１７から送られてきた表示ページを画面上に表示する（１５１４）。次に、メインＤＳ１００の処理部３０１ａは、メインサーバ２１７上の履歴管理テーブル８００（データ構造に関しては図８を参照）に無線タグカード検出履歴を登録する（１５１５）。サブＤＳ１０１の画面に無線タグカード１０４関連のページを表示後、一定時間経過すると（１５１６）、メインＤＳ１００の処理部３０１ａは、サブＤＳ１０１の処理部３０１ｂに対して、表示終了メッセージ（表示窓番号）を送信する（１５１７）。
【００８７】
サブＤＳ１０１の処理部３０１ｂは表示終了メッセージを受信すると、表示部３００ｂに表示終了通知を送信する（１５１８）。表示部３００ｂは、表示終了通知を受信するとメインサーバ２１７に空きページを要求する（１５１９）。メインサーバ２１７は対応する空きページをサブＤＳ１０１の表示部３００ｂに送信する（１５２０）。表示部３００ｂは、メインサーバ２１７から送られてきた空きページを画面上に表示する（１５２１）。次に、メインＤＳ１００の処理部３０１ａが、メモリ部３０６ａに格納されているサブＤＳ空き情報３０９において、表示窓番号に対応する空き状況を「未使用」とし（１５２２）、一連の動作が完了する。
【００８８】
図１６は、本発明のディスプレイ装置連携方法と無線タグカードを使用したアプリケーションの一例を示す。なお、メインサーバ２１７上にある無線タグカード管理テーブル７００のエリア情報欄は全て“０”（未通過）になっているものとする。
【００８９】
はじめにユーザ１６０６は、エリア１に来てメインＤＳ１６００に無線タグカード１０４を近づけるとする。このメインＤＳ１６００は、無線タグカード１０４を検出し、メインサーバ２１７上の無線タグカード管理テーブル７００のエリア情報１の欄を“１”（通過）にする。同時に無線タグカード検出をサブＤＳ１６０１に通知し、サブＤＳ１６０１における分割画面のうちの１つにユーザ１６０６の巡回情報を表示する。この巡回情報としては、通過していないエリアは白で、現在いるエリアは薄いグレーで、通過したエリアは濃いグレーで表示するといった表示色情報が想定できる。
【００９０】
次に、ユーザ１６０６がエリア２に来て、メインＤＳ１６０２に無線タグカード１０４を近づけると、メインＤＳ１６０２は無線タグカード１０４を検出し、メインサーバ２１７上の無線タグカード管理テーブル７００のエリア情報２の欄を“１”（通過）にする。同時に無線タグカード検出をサブＤＳ１６０３に通知し、サブＤＳ１６０３の分割画面のうち１つにユーザ１６０６の巡回情報を表示する。
【００９１】
続いて、ユーザ１６０６がエリア３に来て、メインＤＳ１６０４に無線タグカード１０４を近づけると、メインＤＳ１６０４は無線タグカード１０４を検出し、メインサーバ２１７上の無線タグカード管理テーブルのエリア情報３の欄を“１”（通過）にする。同時に無線タグカード検出をサブＤＳ１６０５に通知し、サブＤＳ１６０５の分割画面のうち１つにユーザ１６０６の巡回情報を表示する。このように、本発明のディスプレイ装置連携方法と無線タグカードとを使用した巡回情報表示アプリケーションは、展示会場、デパートなどに用いることが可能である。
【００９２】
図１７は、ＰＤＡ１０３でマスコットを動的に割り当てる方法を示したフロー図である。図９で説明したログイン処理では、ＰＤＡ１０３のマスコットは静的に割り当てられている。ＰＤＡ１０３がＡＰ３０７に無線ＬＡＮ接続すると（１７００）、ＡＰ３０７はＤＨＣＰ機能により前記ＰＤＡ１０３にＩＰアドレスを割り振る（１７０１）。
【００９３】
次に、ＰＤＡ１０３は、ＡＰ３０７が接続している検出ＤＳ９００のＩＰアドレスを取得する（１７０２）。次に、ＰＤＡ１０３は、検出ＤＳ９００にマスコット情報リスト要求を送信する（１７０３）。検出ＤＳ９００は、ＰＤＡ１０３にマスコット情報リストを送信する（１７０４）。ＰＤＡ１０３は、受信したマスコット情報リストよりマスコット選択画面を生成する。ＰＤＡ１０３上のマスコット選択画面で使用するマスコットが選択される（１７０５）。次に、ＰＤＡ１０３は、検出ＤＳ９００に近隣ＤＳリスト要求を送信する（１７０６）。検出ＤＳ９００は、ＰＤＡ１０３に近隣ＤＳのリストを送信する（１７０７）。ＰＤＡ１０３は、受信した近隣ＤＳリストより接続ＤＳ選択画面を生成する。  ＰＤＡ１０３上で接続対象メインＤＳが選択されると（１７０８）、ＰＤＡ１０３は接続対象メインＤＳ１００の処理部３０１ａに接続要求を送信する（１７０９）。この時、ユーザＩＤ、マスコット番号、機器ＩＤを同時に送信する。以降の処理については、図９での説明と同様である。以上のようなシーケンスをとれば、ＰＤＡにマスコットを動的に割り当てることも可能となる。
【００９４】
図１８は、携帯電話機１０２でマスコットを動的に割り当てる方法を示したフロー図である。図１２で説明したログイン処理では、携帯電話機１０２のマスコットはメインＤＳ側で静的に割り当てられている。携帯電話機１０２で携帯電話サーバ２１０にログインすると（１８００）、携帯電話サーバ２１０からマスコット情報ページを携帯電話機１０２に送信する（１８０１）。
【００９５】
携帯電話機１０２は、送られてきたマスコット情報ページより、使用するマスコットを選択する（１８０２）。次に、携帯電話機１０２から携帯電話サーバ２１０に接続可能ＤＳページ要求を送信する（１８０３）。携帯電話サーバ２１０は接続可能ＤＳページ要求を受信すると、接続可能ＤＳページを携帯電話機１０２に送信する（１８０４）。携帯電話機１０２は送られてきた接続可能ＤＳページより、接続するメインＤＳを選択する（１８０５）。携帯電話機１０２上で接続するメインＤＳが選択されると、携帯電話機１０２よりメインＤＳ１００の処理部３０１ａにユーザＩＤとマスコット番号を送信する（１８０６）。以降の処理については、図１２での説明とほぼ同様である。違いとしては、メインＤＳ１００の処理部３０１ａでのマスコット番号決定処理（１２０７）は行わない。また、接続完了通知にて送っていたマスコット番号は携帯電話機１０２に送信せず、接続完了通知のみとなる。以上のようなシーケンスをとれば、携帯電話機にマスコットを動的に割り当てることも可能となる。
【００９６】
次に、メインＤＳ１００とサブＤＳ１０１との紐付けを設定する手順を説明する。図１９は、メインサーバ２１７に格納されているＤＳ情報管理テーブル１９００のデータ構造を示す図である。このテーブル１９００は、各ＤＳに一意に割り振られたＤＳ番号１９０１をキーに、ＤＳに割り振られたＩＰアドレス１９０２、ＤＳタイプ１９０３（例：“０”の場合「メインＤＳ」、“１”の場合「サブＤＳ」）、メインＤＳに割り振られたサブＤＳを示すサブＤＳ１番号１９０４およびサブＤＳ２番号１９０５、を関連づけしたレコードからなる。
【００９７】
図２０は、メインＤＳとサブＤＳとの紐付け設定の手順を示すフロー図である。メインＤＳ１００は、メインサーバ２１７にサブＤＳ情報要求（自ＤＳ番号）を送信する（２０００）。メインサーバ２１７は、サブＤＳ情報要求を受信すると、ＤＳ情報管理テーブル１９００より、該当するサブＤＳ番号とサブＤＳのＩＰアドレスをメインＤＳに送信する（２００１）。メインＤＳ１００は、サブＤＳ情報を受信すると、該当するサブＤＳにサブＤＳ起動確認を送信する（２００２）。サブＤＳ１０１は、サブＤＳ起動確認を受信するとメインＤＳ１００に起動中を送信する（２００３）。メインＤＳ１００は、定期的にサブＤＳが起動しているかの確認を行う（２００４）。このような手順を行うことにより、メインＤＳとサブＤＳとの紐付け設定を実現する。
【００９８】
本発明では、例えば、複数台のディスプレイ装置を用意し、第１ディスプレイ装置（メインＤＳ）には共通の情報を表示する。例えば、展示会場やデパートといった場所で使用する場合、会場や周辺の地図などを表示させる。第２ディスプレイ装置（サブＤＳ）は、第１ディスプレイ装置に表示している情報とリンクした個人情報を表示させる。第１ディスプレイ装置は複数のＰＤＡ、携帯電話機、無線タグカード等でアクセスが可能である。
【００９９】
第２ディスプレイ装置の表示部分は複数の表示ウィンドウに分かれており、第１ディスプレイ装置にアクセスした複数のユーザに対して同時に個人情報を表示することができる。これにより、１つのディスプレイを１人のユーザが独占することなく、１つのディスプレイ（メインＤＳ）に複数のユーザが同時にアクセスし、もう１つのディスプレイ（サブＤＳ）に複数の個人情報を表示することが可能となる。
【０１００】
また、第１ディスプレイ装置は、第２ディスプレイ装置を複数台、接続するとすれば、第１ディスプレイ装置にアクセスするユーザの数が増えても対応が可能である。さらに、ディスプレイ装置間の接続に無線通信網を用いることにより、展示会場やデパートなどのレイアウト変更が臨機応変に行われる場所でのディスプレイ装置の移動が容易になる。
【０１０１】
更に、１つのディスプレイに１つのＣＰＵを割り当てることにより、展示会場やデパートなどのレイアウトが臨機応変に変化することが求められる場所でも、メインＤＳとサブＤＳの構成を容易に変更することができ、柔軟に対応が可能である。以上のことより、非常にフルキシブル性が高いディスプレイ装置の連携を行うことが可能となる。  
したがって、ディスプレイ装置の配置変更等に柔軟に対応可能で、かつ複数ユーザの利用受入れを可能とできる。
【０１０２】
以上、本発明の実施の形態について、その実施の形態に基づき具体的に説明したが、これに限定されるものではなく、その要旨を逸脱しない範囲で種々変更可能である。
【図面の簡単な説明】
【０１０３】
【図１】本実施形態におけるディスプレイ装置連携方法の実施モデル概要を示す図である。
【図２】本実施形態におけるディスプレイ装置を含むネットワーク構成図である。
【図３】本実施形態におけるディスプレイステーションの内部構成を示す図である。
【図４】ユーザ管理テーブルのデータ構造を示す図である。
【図５】ＰＤＡ管理テーブルのデータ構造を示す図である。
【図６】資料テーブルのデータ構造を示す図である。
【図７】無線タグカード管理テーブルのデータ構造を示す図である。
【図８】履歴管理テーブルのデータ構造を示す図である。
【図９】ＰＤＡからメインＤＳへログインするまでの流れを示したフロー図である。
【図１０】ＰＤＡの操作によりサブＤＳの画面上に資料を表示するまでの流れを示したフロー図である。
【図１１】接続しているＤＳからＰＤＡをログアウトするまでの流れを示したフロー図である。
【図１２】携帯電話機からメインＤＳへログインするまでの流れを示したフロー図である。
【図１３】携帯電話機の操作によりサブＤＳの画面上に資料を表示するまでの流れを示したフロー図である。
【図１４】接続しているＤＳから携帯電話機をログアウトするまでの流れを示したフロー図である。
【図１５】無線タグカードによりサブＤＳに固有情報を表示し、一定時間後、サブＤＳに表示している固有情報を削除するまでの流れを示したフロー図である。
【図１６】ディスプレイ装置連携方法と無線タグカードを使用したアプリケーションの一例を示す図である。
【図１７】ＰＤＡでマスコットを動的に割り当てる方法を示したフロー図である。
【図１８】携帯電話機でマスコットを動的に割り当てる方法を示したフロー図である。
【図１９】ＤＳ情報管理テーブルのデータ構造を示す図である。
【図２０】メインＤＳとサブＤＳとの紐付け設定の手順を示すフロー図である。
【符号の説明】
【０１０４】
１００  メインＤＳ                  １０１  サブＤＳ
１０２  携帯電話機                  １０３  ＰＤＡ
１０４  無線タグカード              １０５  インターネット網
１０６〜１１０、１１３  無線通信網
１１１ａ〜１１１ｃ、１１２ａ〜１１２ｃ  マスコット
２００  Ｗｅｂカメラ                ２０１  拠点Ａのディスプレイステーション群
２０２  拠点Ａの携帯端末群          ２０３  拠点Ｂのディスプレイステーション群
２０４  拠点Ｂの携帯端末群          ２０５、２０８  ＬＡＮ
２０６  携帯キャリアサーバ          ２０７、２１４  ルータ
２０９  ファイアウォール            ２１０  携帯電話サーバ
２１１  携帯電話制御システム        ２１２  メールサーバ
２１３  イントラネット網            ２１５  社内システム
２１６  映像配信サーバ              ２１７  メインサーバ
２１８  受付端末                    ２１９  カメラ
３００ａ、３００ｂ  表示部          ３０１ａ、３０１ｂ  処理部
３０２ａ、３０２ｂ、３０３ａ、３０３ｂ、３０４  ＬＡＮ Ｉ／Ｏ部
３０５ａ、３０５ｂ  ＨＤＤ          ３０６ａ、３０６ｂ  メモリ部
３０７  ＡＰ                        ３０８  無線タグＩ／Ｏ部
３０９  サブＤＳ空き情報データ構造  ３１０  マスコット情報データ構造
４００  ユーザ管理テーブル          ４０１  ユーザＩＤ
４０２  ユーザ名                    ４０３  社名
４０４  部署名                      ５００  ＰＤＡ管理テーブル
５０１  機器ＩＤ                    ５０２  ユーザＩＤ
５０３  接続先ＤＳ番号              ５０４  マスコット番号
６００  資料テーブル                ６０１  資料ＩＤ
６０２  資料ＵＲＬ                  ７００  無線タグカード管理テーブル
７０１  カードＩＤ                  ７０２  エリア情報１
７０３  エリア情報２                ７０４  エリア情報３
８００  履歴管理テーブル            ８０１  履歴番号
８０２  記録日時                    ８０３  機器番号
８０４  ユーザＩＤ                  ８０５  接続先ＤＳ番号
８０６  履歴タイプ                  ９００  検出ＤＳ
１６００、１６０２、１６０４  メインＤＳ
１６０１、１６０３、１６０５  サブＤＳ
１６０６  ユーザ                    １６０７  ユーザ経路
１６０８  ＬＡＮ                    １６０９、１６１０、１６１１  無線通信網
１９００  ＤＳ情報管理テーブル      １９０１  ＤＳ番号
１９０２  ＩＰアドレス              １９０３  ＤＳタイプ
１９０４  サブＤＳ１番号            １９０５  サブＤＳ２番号
【図１】
2005141147.tif 000003
【図２】
2005141147.tif 000004
【図３】
2005141147.tif 000005
【図４】
2005141147.tif 000006
【図５】
2005141147.tif 000007
【図６】
2005141147.tif 000008
【図７】
2005141147.tif 000009
【図８】
2005141147.tif 000010
【図９】
2005141147.tif 000011
【図１０】
2005141147.tif 000012
【図１１】
2005141147.tif 000013
【図１２】
2005141147.tif 000014
【図１３】
2005141147.tif 000015
【図１４】
2005141147.tif 000016
【図１５】
2005141147.tif 000017
【図１６】
2005141147.tif 000018
【図１７】
2005141147.tif 000019
【図１８】
2005141147.tif 000020
【図１９】
2005141147.tif 000021
【図２０】
2005141147.tif 000022